(57)【要約】【課題】架設された複数の電線をまとめて支持する電線支持具の作業容易化を図ることを課題とする。【解決手段】架設された複数の電線Ｃ，Ｃ…をまとめて支持すべく一方向に長手をなしたベース２に電線支持部３を備える電線支持具１において、前記電線支持部３は、電線Ｃ，Ｃ…を収容可能な電線収容空間Ｄ，Ｄ…を区画するために前記ベース２上に長手方向に沿って複数配置される区画部４と、前記電線収容空間Ｄ，Ｄ…に収容された電線Ｃ，Ｃ…が逸脱しないように該電線収容空間Ｄ，Ｄ…を閉塞可能に構成された閉塞部５と、ベース２の長手方向における操作によって、該閉塞部５が電線収容空間Ｄ，Ｄ…を閉塞している状態と閉塞していない状態とを切り替え可能に構成された切替手段６とを備え、該切替手段６は、前記ベース２の長手方向における電線支持部３の両側から操作可能に構成されることを特徴とする。【選択図】図３
2012196004.tif 000002
【特許請求の範囲】
【請求項１】
架設された複数の電線をまとめて支持すべく一方向に長手をなしたベースに電線支持部を備える電線支持具において、前記電線支持部は、電線を収容可能な電線収容空間を区画するために前記ベース上に長手方向に沿って複数配置される区画部と、前記電線収容空間に収容された電線が逸脱しないように該電線収容空間を閉塞可能に構成された閉塞部と、ベースの長手方向における操作によって、該閉塞部が電線収容空間を閉塞している状態と閉塞していない状態とを切り替え可能に構成された切替手段とを備え、該切替手段は、前記ベースの長手方向における電線支持部の両側から操作可能に構成されることを特徴とする電線支持具。
【請求項２】
前記切替手段は、ベースの長手方向でスライド移動可能に構成され、前記閉塞部は、該切替手段に機能的に連結されることにより、ベースの長手方向でスライド移動可能に構成されるとともに、スライド移動するに伴って、該閉塞部が電線収容空間を閉塞している状態と閉塞していない状態とを切り替え可能に構成されることを特徴とする請求項１に記載の電線支持具。
【請求項３】
前記区画部は、ベース上の長手方向における一端から他端に亘って、所定の間隔で複数設けられることを特徴とする請求項１又は２に記載の電線支持具。
【請求項４】
前記電線支持部は、前記ベースの長手方向でスライド移動可能に構成された台部を備え、前記区画部は、台部上に前記長手方向に沿って所定の間隔で複数設けられることを特徴とする請求項１又は２に記載の電線支持具。
【発明の詳細な説明】
【技術分野】
【０００１】
本発明は、架設された複数の電線をまとめて支持するための電線支持具に関する。
【背景技術】
【０００２】
従来から、電柱には、電線（高圧線や低圧線等）を支持するための支持物（腕金や碍子等）が設置されているが、該支持物は、経年による劣化や、破損等の理由により交換作業が行なわれることがある。
【０００３】
前記交換作業では、交換対象となる支持物を電柱から取り外すため、該支持物に支持されていた電線が固定されていない状態になる。そうすると、固定されていない状態にある電線が作業スペース内に所在し、作業の妨げとなることがある。特に、腕金の交換作業のような、複数の電線が固定されていない状態になる作業を行う場合は、上記のような問題がより顕著になる。
【０００４】
そこで、交換作業の対象となる支持物に代わって電線を支持するための電線支持具が提供されている（特許文献１参照）。かかる電線支持具は、図７に示すように、架設された複数の電線Ｃ，Ｃ…をまとめて支持するための電線支持部３’，３’…を複数備えている。前記電線支持部３’は、電線Ｃを収容するための電線収容部４’と、絶縁を図るための絶縁部２ａと、電線収容部４’及び絶縁部２ａを仮腕木Ｈ上に取付けるための取付手段２ｂとを備えている。
【０００５】
前記収容部４’は、互いに対峙する一対の対峙部４ａ，４ａと、該対峙部同士４ａ，４ａを接続する接続部４ｂとを備えており、該接続部４ｂが絶縁部２ａに取付けられるとともに、前記対峙部４ａ，４ａが接続部４ｂから起立するように設けられている。これにより、前記収容部４’は、上方が開放され、架設された電線Ｃを収容するための空間（以下、電線収容空間とする）を区画している。
【０００６】
また、前記収容部４’は、前記一対の対峙部４ａ，４ａの何れか一方に軸支されるとともに、前記一対の対峙部４ａ，４ａの何れか他方と嵌合可能に構成されている閉塞部５’を備えており、該閉塞部５’が電線収容空間の上部を閉塞可能に構成されている。そして、前記収容部４’には、一対の対峙部４ａ，４ａ、接続部４ｂ、閉塞部５’のそれぞれにローラが設けられており、一対の対峙部４ａ，４ａに設けられたローラ同士が互いに対向するように設けられ、かつ接続部４ｂと閉塞部５’とに設けられたローラが互いに対向するように設けられている。
【０００７】
従って、上記構成の電線支持部３’は、架設された電線Ｃを前記収容部４’に収容した後に閉塞部５’と他方の対峙部４ａとを互いに嵌合させることによって、該電線Ｃの軸線方向での動きを許容しつつ、該電線Ｃの軸線方向に直交する方向の動きを規制することができる。
【０００８】
ところで、上述のような高所での作業を行う場合、通常、ブーム９ａの先端部にバケット９ｂが取付けられた高所作業車が用いられる。さらに、前記交換作業を行うにあたり、高所作業車は、バケット９ｂにサブブーム９ｃが取付けられ、該サブブーム９ｃの先端部に仮腕木Ｈが取付けられる。
【０００９】
前記交換作業では、まず、架設された電線Ｃ，Ｃ…の配置に合わせて電線支持部３’，３’…が仮腕木Ｈに取り付けられる。このとき、前記閉塞部５’は、電線収容空間の上部を開放した状態にされる。そして、バケット９ｂを作業位置まで移動させた後に、サブブーム９ｃを操作することによって、電線支持部３’，３’…を電線Ｃ，Ｃ…に下側から接近させる。そして、電線Ｃ，Ｃ…を収容した状態にした後に、作業者は、絶縁ヤットコやバインド打ち器等の間接活線作業工具を用いて、電線支持部３’，３’…の閉塞部５’，５’…を他方の対峙部４ａに嵌合させる。これにより、電線Ｃ，Ｃ…は、電線支持部３’，３’…に支持された状態になる。
【先行技術文献】
【特許文献】
【００１０】
【特許文献１】特開２００３−１１１２２８号公報
【発明の概要】
【発明が解決しようとする課題】
【００１１】
しかしながら、前記電線支持部３’は、上述のように、閉塞部５’が一方の対峙部４ａに軸支されており、前記間接活線作業工具を用いて閉塞部５’を軸支された部分を中心として回動させることにより、対峙部４ａ，４ａ同士の間を閉塞したり、開放したりする構成となっている。従って、作業者の作業位置が前記一方の対峙部４ａ側である場合、前記間接活線作業工具が前記一方の対峙部４ａに干渉する等して、作業が非常に煩雑になることがあった。
【００１２】
そこで、本発明は、かかる実情に鑑み、作業の容易化を図ることのできる電線支持具を提供することを課題とする。
【課題を解決するための手段】
【００１３】
本発明に係る電線支持具は、架設された複数の電線をまとめて支持すべく一方向に長手をなしたベースに電線支持部を備える電線支持具において、前記電線支持部は、電線を収容可能な電線収容空間を区画するために前記ベース上に長手方向に沿って複数配置される区画部と、前記電線収容空間に収容された電線が逸脱しないように該電線収容空間を閉塞可能に構成された閉塞部と、ベースの長手方向における操作によって、該閉塞部が電線収容空間を閉塞している状態と閉塞していない状態とを切り替え可能に構成された切替手段とを備え、該切替手段は、前記ベースの長手方向における電線支持部の両側から操作可能に構成されることを特徴とする。
【００１４】
上記構成の電線支持具によれば、前記電線収容空間は、区画部がベース上に長手方向に沿って複数配置されているため、上部が開放された状態になっている。これにより、前記電線支持具は、架設されている電線に対して下側から接近させることによって、前記電線収容空間に電線を収容することができる。
【００１５】
また、前記電線支持具は、前記閉塞部で電線収容空間を閉塞することで、電線を電線収容空間から逸脱しないようにすることができる。すなわち、前記電線支持具は、電線収容空間に収容された電線の軸線方向に直交する方向の動きを規制することができる。
【００１６】
それに加え、前記電線支持具は、前記閉塞部を電線収容空間内に収容された電線に覆い被せるように回動させるといった煩雑な操作を行うことなく、切替手段をベースの長手方向に操作するだけで、閉塞部が電線収容空間を閉塞している状態と閉塞していない状態とを切り替えることができる。
【００１７】
そして、前記電線支持具は、前記切替手段がベースの長手方向における電線支持部の両側から操作可能に構成されている。すなわち、前記電線支持具は、ベースの長手方向における電線支持部のどちら側からでも、切替手段をベースの長手方向に操作することができる。従って、前記電線支持具は、ベースの長手方向における電線支持部の一端側及び他端側のどちら側からでも、切替手段をベースの長手方向に操作するだけで、閉塞部が電線収容空間を閉塞している状態と閉塞していない状態とを切り替えることができる。
【００１８】
本発明の一態様として、前記切替手段は、ベースの長手方向でスライド移動可能に構成され、前記閉塞部は、該切替手段に機能的に連結されることにより、ベースの長手方向でスライド移動可能に構成されるとともに、スライド移動するに伴って、該閉塞部が電線収容空間を閉塞している状態と閉塞していない状態とを切り替え可能に構成されていてもよい。
【００１９】
上記構成の電線支持具によれば、ベースの長手方向で切替手段をスライド移動させることによって、該閉塞部が電線収容空間を閉塞している状態と閉塞していない状態とを切り替えることができる。従って、前記電線支持具は、ベースの長手方向における電線支持部の一端側及び他端側のどちら側からでも、切替手段をベースの長手方向にスライド操作するだけで、閉塞部が電線収容空間を閉塞している状態と閉塞していない状態とを切り替えることができる。
【００２０】
本発明の他態様として、前記区画部は、ベース上の長手方向における一端から他端に亘って、所定の間隔で複数設けられていてもよい。
【００２１】
上記構成の電線支持具によれば、区画部がベースの一端から他端に亘って設けられている。すなわち、ベースは、一端から他端に亘って電線収容空間が区画されているため、予め架設された電線の位置に合わせて電線支持部の位置決めをする手間を省くことができる。
【００２２】
本発明の別の態様として、前記電線支持部は、前記ベースの長手方向でスライド移動可能に構成された台部を備え、前記区画部は、台部上に前記長手方向に沿って所定の間隔で複数設けられていてもよい。
【００２３】
上記構成の電線支持具によれば、電線支持部がスライド移動可能に構成されているため、該電線支持部の位置調整を容易に行うことができる。
【発明の効果】
【００２４】
以上のように、本発明に係る電線支持具は、電線収容空間に収容された電線が逸脱しないように閉塞部で電線収容空間を閉塞する作業及び電線収容空間に収容された電線を電線収容空間から離隔させるために閉塞部の状態を切り替えて電線収容空間の上部を開放する作業が容易になり、そのため、作業効率を向上させることができるという優れた効果を奏し得る。
【図面の簡単な説明】
【００２５】
【図１】本発明の第一実施形態に係る電線支持具を示す図であって、（ａ）は、正面図を示し、（ｂ）は、平面図を示す。
【図２】同実施形態に係る電線支持具を示す図であって、（ａ）は、図１のＡ１−Ａ１断面図を示し、（ｂ）は、図１のＡ２−Ａ２断面図を示す。
【図３】同実施形態に係る電線支持具の使用状態を示す平面図であって、（ａ）は、架設された電線を電線収容空間に収容した状態の平面図を示し、（ｂ）は、一方の閉塞部が電線収容空間を閉塞した状態の平面図を示し、（ｃ）は、他方の閉塞部が電線収容空間を閉塞した状態の平面図を示す。
【図４】本発明の第二実施形態に係る電線支持具を示す図であって、（ａ）は、正面図を示し、（ｂ）は、平面図を示す。
【図５】同実施形態に係る電線支持具を示す図であって、（ａ）は、図４のＡ３−Ａ３断面図を示し、（ｂ）は、図４のＡ４−Ａ４断面図を示す。
【図６】同実施形態に係る電線支持具の使用状態を示す平面図であって、（ａ）は、架設された電線を電線収容空間に収容した状態の平面図を示し、（ｂ）は、一方の閉塞部が電線収容空間を閉塞した状態の平面図を示し、（ｃ）は、他方の閉塞部が電線収容空間を閉塞した状態の平面図を示す。
【図７】従来の電線支持具の正面図を示す。
【発明を実施するための形態】
【００２６】
以下、本発明の第一実施形態に係る電線支持具について、添付図面を参照しつつ説明する。
【００２７】
本実施形態に係る電線支持具は、図１（ａ）及び図１（ｂ）に示すように、架設された複数の電線をまとめて支持すべく一方向に長手をなしたベース２に電線支持部３を備えている。前記電線支持部３は、電線を収容可能な電線収容空間Ｄ（図１（ａ）参照）を区画するために前記ベース２上に長手方向に沿って複数配置される区画部４と、前記電線収容空間Ｄに収容された電線が逸脱しないように該電線収容空間Ｄを閉塞可能に構成された閉塞部５とを備えている。また前記電線支持部３は、ベース２の長手方向（以下、長手方向とする）における操作によって、該閉塞部５が電線収容空間Ｄを閉塞している状態と閉塞していない状態とを切り替え可能に構成された切替手段６とを備えている。
【００２８】
また、前記電線支持具１は、電線収容空間Ｄを前記長手方向に直交する方向（以下、短手方向あるいは幅方向とする）における一方側（以下、手前側とする）及び他方側（以下、奥側とする）の少なくとも何れか一方を閉塞できるように構成されている。そのため、本実施形態における電線支持具１は、前記閉塞部５と前記切替手段６とが機能的に連結されたもの（以下、閉塞手段７とする）を二つ備えており、ベース２の長手方向に沿って長手をなすように配置されるとともに、該閉塞手段７，７のそれぞれが前記短手方向で隣り合うように設けられている。
【００２９】
前記ベース２は、前記電線収容空間Ｄを区画する部分（電線収容空間Ｄの底部となる部分）が、該電線収容空間Ｄの内部に向かって湾曲した湾曲部２０となっている。そのため、前記電線支持部３は、前記ベース２上の長手方向の一端から他端に亘って区画部４と湾曲部２０とが交互に並んだ態様になっている。これにより、前記ベース２上には、長手方向における一端側から他端側に亘り、電線を配置可能な電線収容空間Ｄ，Ｄ…が複数区画されている。
【００３０】
前記湾曲部２０，２０…には、図２（ａ）及び図２（ｂ）に示すように、前記切替手段６を挿通するための挿通穴２１ａ，２１ｂが長手方向に沿って穿設されている。また、本実施形態における電線支持具１は、上述のように、二つの切替手段６，６を備えているため、複数の湾曲部２０，２０…のそれぞれに対して二つの挿通穴２１ａ，２１ｂが前記短手方向で並ぶように穿設されている。
【００３１】
前記区画部４は、閉塞部５，５…及び切替手段６の一部を内装するとともに、前記電線収容空間Ｄ，Ｄ…を区画するように構成されている。また、前記区画部４は、隣り合う湾曲部２０，２０の間に配置される第一区画部４０と、前記ベース２の長手方向における端部のそれぞれに配置される第二区画部４１，４２とを備えている。
【００３２】
具体的に説明すると、前記第一区画部４０は、それぞれ下面が開放された六面体状の筐体であり、前記閉塞部５及び切替手段６の一部を内装できるように構成されている。すなわち、前記第一区画部４０は、前記長手方向で対峙する一対の第一側壁部４００ａ，４００ｂと、該第一側壁部４００ａ，４００ｂの上端部同士を接続する上壁部４０１と、前記短手方向における、該第一側壁部４００ａ，４００ｂ及び上壁部４０１の端部のそれぞれに接続された一対の第二側壁部４０２，４０２（図１（ａ），図１（ｂ）参照）とを備えている。
【００３３】
また、前記第一区画部４０には、内装する閉塞部５を外部に進出可能にするための進出穴４０３ａ，４０３ｂが穿設されている。該進出穴４０３ａ，４０３ｂは、前記第一側壁部４００ａ，４００ｂのそれぞれに、一つずつ穿設されており、本実施形態では、一方の進出穴４０３ａは、前記長手方向における一端側の第一側壁部４００ａに穿設され、他方の進出穴４０３ｂは、前記長手方向における他端側の第一側壁部４００ｂに穿設されている。また、前記進出穴４０３ａは、第一側壁部４００ａにおける前記手前側に穿設され、他方の進出穴４０３ｂは、第一側壁部４００ｂにおける前記奥側に穿設されている。
【００３４】
前記第二区画部４１，４２のうち、ベース２の長手方向における一端部に設けられたもの（第二区画部４１）は、前記第一区画部４０の前記奥側を六面体状のブロック４１２で構成した態様のものである。すなわち、該第二区画部４１は、前記手前側のみに、一方の閉塞手段７の一部を内装するとともに、隣り合う第一区画部４０と、ベース２と協働して電線収容空間Ｄを区画するように構成されている。また、前記第二区画部４１は、前記長手方向における他端側の第一側壁部４１０ｂの手前側に前記進出穴４１１ｂが穿設されている。そして、前記第二区画部４１は、前記長手方向における一端側の第一側壁部４１０ａに後述する板状部６０を挿通可能な差込穴４１３が穿設されている。
【００３５】
また、ベース２の長手方向における他端部に設けられた第二区画部４２は、前記第一区画部４０の前記手前側を六面体状のブロック４２２で構成した態様のものである。すなわち、該第二区画部４２は、前記奥側のみに、他方の閉塞手段７の一部を内装するとともに、隣り合う第一区画部４０と、ベース２と協働して電線収容空間Ｄを区画するように構成されている。また、前記第二区画部４２は、前記長手方向における一端側の第一側壁部４２０ａの奥側に前記進出穴４２１ｂが穿設されている。そして、前記第二区画部４２は、前記長手方向における他端側の第一側壁部４２０ａに後述する板状部６０を挿通可能な差込穴４２３が穿設されている。
【００３６】
前記閉塞手段７は、上述のように、閉塞部５と切替手段６とを備えるものである。前記切替手段６は、前記長手方向に長手をなして形成された板状部６０と、該板状部６０の長手方向における一端部に連設された操作部６１とを備えている。該操作部６１は、棒状部６１０と、該棒状部６１０の先端に連設された環状部６１１とを備えている。また、前記板状部６０は、差込穴４１３と、複数の挿通穴２１ａ，２１ａ…、又は差込穴４２３と、複数の挿通穴２１ｂ，２１ｂ…のそれぞれに挿通された状態になっている。
【００３７】
また、前記切替手段６は、閉塞部５を接続するための接続部６２を備えている。該接続部６２は、前記板状部６０から起立して設けられており、前記第一区画部４０の内部及び第二区画部４１，４２の内部に位置するように設けられる。具体的には、前記接続部６２は、前記長手方向における第一区画部４０、第二区画部４１，４２のそれぞれの長さ（第一区画部４０、第二区画部４１及び第二区画部４２のそれぞれ長さは同じ）と前記長手方向における湾曲部２０の長さを加算した距離に相当する間隔をあけて（すなわち、区画部４の形成ピッチに対応して）板状部６０に設けられる。
【００３８】
これにより、前記切替手段６は、前記長手方向において、前記長手方向における第一区画部４０（第二区画部４１，４２）の長さに相当する距離だけスライド移動させることができる。
【００３９】
そして、前記閉塞部５は、板状に形成され、前記接続部６２に連設されることで切替手段６に機能的に連結されている。前記閉塞部５は、接続部６２に直交する方向で（すなわち、前記長手方向に沿って）、かつ板状部６０の先端側に延びるように接続部６２に連設されている。これにより、前記閉塞部５は、切替手段６とともに、スライド移動できるように構成されている。
【００４０】
本実施形態では、上述のように、前記閉塞手段７を二つ備えている。そして、一方の閉塞手段７が前記長手方向の一端側の差込穴４１３から板状部６０の基端部及び操作部６１が突出するように構成され、他方の閉塞手段７が前記長手方向の他端側の差込穴４２３から板状部６０の基端部及び操作部６１が突出するようになっている。
【００４１】
なお、本実施形態における電線支持具１において、ベース２及び区画部４，４…（第一区画部４０、第二区画部４１，４２）は、例えば樹脂成形等の公知の手法により一体的に形成されている。また、前記閉塞部５と前記切替手段６とからなる閉塞手段６は、強度を確保するために、例えば、金属等を溶接することで、一体的に形成されている。但し、閉塞部５についていえば、電線Ｃに導電部分が触れることになるため、絶縁を図るために全面にディップ処理等のコーティングを施している。これに伴い、前記電線収容部４の周りの構成（湾曲部２０や、区画部４等）についても、絶縁性を担保するように構成されている。
【００４２】
本実施形態に係る電線支持具１についての説明は、以上であり、続いて架設された複数の電線を支持する作業について添付図面を参照しつつ説明する。なお、本実施形態において、複数の電線を支持した状態の腕金の交換を行うべく、該腕金に支持されている電線を暫定的に支持（仮支持）することを一例に説明する。また、本実施形態で説明するような高所での作業を行う場合、通常、ブームの先端部にバケットが取付けられた高所作業車が用いられる。さらに、前記交換作業等を行う場合は、該高所作業車は、バケットにサブブームが取付けられ、該サブブームの先端部に仮腕木が取付けられる。
【００４３】
本実施形態に係る電線支持具１は、前記交換作業の準備として、仮腕木上に取付けられる。このとき、電線支持部１は、ベース２の長手方向に沿って複数の電線収容空間Ｄ，Ｄ…が区画され、また、架設された電線の最大間隔よりも長くなるように形成されているため、架設された電線の位置に合わせて位置決め作業を行う必要がない。
【００４４】
そして、ブーム及びサブブームを操作することによって、架設された電線に対して電線支持具１を下側から接近させ、図３（ａ）に示すように、平行ないし略平行に架設された電線Ｃ，Ｃ…を電線収容空間Ｄ，Ｄ…内に収容し、該電線Ｃを支持した状態にする。
【００４５】
そして、作業者が前記電線支持具１の長手方向における一端側に位置している場合、作業者は、前記長手方向における一端側の操作部６１に絶縁ヤットコやバインド打ち器等の間接活線作業工具を掛止させ、前記切替手段６を押し込む（押し操作する）。そうすると、図３（ｂ）に示すように、前記電線支持具１は、閉塞部５，５…が電線収容空間Ｄ，Ｄ…のそれぞれの開放された部分（のうち、前記手前側）を一斉に閉塞するため、電線収容空間Ｄ，Ｄ…内に収容された電線Ｃ，Ｃ…を該電線収容空間Ｄ，Ｄ…から逸脱しないようにすることができる。すなわち、前記電線支持具１は、電線収容空間Ｄ，Ｄ…内に収容された電線Ｃ，Ｃ…の軸線方向での動きを許容しつつ、該電線Ｃ，Ｃ…の軸線方向に直交する方向の動きを規制することができる。
【００４６】
もし、作業者が電線支持具１の長手方向における他端側に位置している場合、作業者は、前記長手方向における他端側の操作部６１に絶縁ヤットコやバインド打ち器等の間接活線工具を掛止させ、前記切替手段６を押し込む（押し操作する）。そうすると、図３（ｃ）に示すように、前記電線支持具１は、閉塞部５，５…が電線収容空間Ｄ，Ｄ…のそれぞれの開放された部分（のうち、前記奥側）を一斉に閉塞するため、電線収容空間Ｄ，Ｄ…内に収容された電線Ｃ，Ｃ…を該電線収容空間Ｄ，Ｄ…から逸脱しないようにすることができる。
【００４７】
そして、作業者は腕金を取り替えた後に、前記長手方向における他端側の操作部６１に再度絶縁ヤットコやバインド打ち器等の間接活線工具を掛止させて、前記切替手段６を引っ張る（引き操作する）。そうすると、電線収容空間Ｄ，Ｄ…を閉塞していた閉塞部５，５…が切替手段６とともに動くため、閉塞部５，５…によって閉塞されていた電線収容空間Ｄ，Ｄ…が一斉に開放された状態になる。そして、ブーム及びサブブームを操作することによって、電線支持具１を下方に移動させて電線Ｃ，Ｃ…から離隔させる。
【００４８】
以上のように、本実施形態に係る電線支持具１によれば、切替手段６をスライド移動させることで閉塞部５，５…が電線収容空間Ｄ，Ｄ…を一斉に閉塞した状態にすることができるため、容易な作業で架設された複数の電線Ｃ，Ｃ…を一回的に支持することができるという優れた効果を奏し得る。
【００４９】
また、本実施形態に係る電線支持具１によれば、電線収容空間Ｄ，Ｄ…がベース２の一端から他端に亘って複数区画されているため、架設されている電線Ｃ，Ｃ…の位置に合わせて電線支持部３の位置合わせを予め行っておく必要がない。
【００５０】
そして、本実施形態に係る電線支持具１によれば、ベース２の長手方向における両端側から切替手段６を操作することができるように構成されているため、作業者の作業位置に関わらず迅速かつ円滑に電線Ｃを電線支持部３に支持させることができる。
【００５１】
続いて、本発明の第二実施形態について図４（ａ），図４（ｂ）及び図５（ａ），図５（ｂ）を参照しつつ説明する。なお、第一実施形態と相当する構成、又は同一の構成については、同一名称及び同一符号を付して説明を割愛する。
【００５２】
本実施形態に係る電線支持具は、図４（ａ）と図４（ｂ）に示すように、架設された複数の電線Ｃ，Ｃ…をまとめて支持すべく一方向に長手をなしたベース２’’に電線支持部３’’を備えている。前記電線支持部３’’は、一方向に長手をなした台部８と、電線Ｃを収容可能な電線収容空間Ｄを区画するために該台部８上に長手方向に沿って複数配置される区画部４と、前記電線収容空間Ｄに収容された電線Ｃが逸脱しないように該電線収容空間Ｄを閉塞可能に構成された閉塞部５とを備えている。また、前記電線支持部３は、ベース２の長手方向でスライド移動可能に構成されている。そして、本実施形態における電線支持具１は、前記電線支持部３をベース２’’上に３つ備える。
【００５３】
前記ベース２’’は、長手方向における一端から他端に亘ってレール溝２２が形成されている。
【００５４】
前記電線支持部３’’は、二つの電線収容空間Ｄ，Ｄを形成するために、三つの区画部４，４…が台部８上に設けられている。また、該台部８の下側には、前記レール溝２２に嵌合可能な突出部４３が設けられている。
【００５５】
これに伴い、前記電線支持部３’’は、台部８の長手方向における両端部に前記第二区画部４１，４２を備え、該第二区画部４１，４２の間に一つの第一区画部４０を備えている。また、前記閉塞部５は、切替手段６に二つ連結されている。
【００５６】
本実施形態に係る操作部６１は、棒状部６１０が屈曲された態様になっている。具体的に説明すると、前記手前側の操作部６１は、棒状部６１０がベースの長手方向と直交する方向における一方側に屈曲された態様になっている。これにより、手前側の操作部６１は、環状部６１１がベース２’’よりも前記幅方向における一方側（手前側）に位置している。
【００５７】
また、前記奥側の操作部６１は、棒状部６１０がベースの長手方向と直交する方向における他方側に屈曲された態様になっている。これにより、奥側の操作部６１も、環状部６１１がベース２’’よりも前記幅方向における他方側（奥側）に位置している。
【００５８】
本実施形態に係る電線支持具１’’についての説明は、以上であり、続いて架設された複数の電線Ｃ，Ｃ…を支持する作業について図６（ａ）、図６（ｂ）、図６（ｃ）を参照しつつ説明する。なお、本実施形態において、複数の電線Ｃ，Ｃ…を支持した状態の腕金の交換を行うべく、該腕金に支持されている電線Ｃを暫定的に支持（仮支持）することを一例に説明する。また、本実施形態で説明するような高所での作業を行う場合、通常、ブームの先端部にバケットが取付けられた高所作業車が用いられる。さらに、前記交換作業等を行う場合は、該高所作業車は、バケットにサブブームが取付けられ、該サブブームの先端部に仮腕木が取付けられる。
【００５９】
本実施形態に係る電線支持具１’’は、前記交換作業の準備として、仮腕木上に取付けられる。このとき、前記電線支持部３’’，３’’…を、ベース２’’に三つ取り付けることになる。そして、架設されている架線の位置に合わせて電線支持部３’’の位置決めを行う。このとき、前記電線支持部３’’，３’’…がベース２’’の長手方向でスライド移動可能に構成されているため、作業者は、電線支持部３’’，３’’…の位置決め作業を容易に行うことができる。
【００６０】
さらに、本実施形態では、後に操作することになる前記電線支持部３’’，３’’…の前記長手方向における一端側の環状部６１１，６１１…に索条Ｌを取り付けておく。
【００６１】
そして、ブーム及びサブブームを操作することによって、架設された電線Ｃに対して電線支持具１’’を下側から接近させ、図６（ａ）に示すように、架設された電線Ｃ，Ｃ…を電線収容空間Ｄ，Ｄ…内に収容し、該電線Ｃを支持した状態にする。
【００６２】
そして、作業者は、前記索条Ｌを前記長手方向の一端側から他端側に向けて引っ張ることによって、前記切替手段６，６…のそれぞれを一斉に押し込む（押し操作する）。そうすると、図６（ｂ）に示すように、前記電線支持具１’’は、閉塞部５，５…が電線収容空間Ｄ，Ｄ…のそれぞれの開放された部分（のうち、前記手前側）を一斉に閉塞するため、電線収容空間Ｄ，Ｄ…内に収容された電線Ｃ，Ｃ…を該電線収容空間Ｄ，Ｄ…から逸脱しないようにすることができる。すなわち、前記電線支持具１’’は、電線収容空間Ｄ，Ｄ…内に収容された電線Ｃ，Ｃ…の軸線方向での動きを許容しつつ、該電線Ｃ，Ｃ…の軸線方向に直交する方向の動きを規制することができる。
【００６３】
作業者が電線支持具１’’の長手方向における他端側の環状部６１１，６１１…に索条Ｌを取り付けている場合は、索条Ｌを前記長手方向の他端側から一端側に向けて引っ張ることによって、前記切替手段６，６…のそれぞれを一斉に押し込む（押し操作する）。そうすると、図６（Ｃ）に示すように、前記電線支持具１’’は、閉塞部５，５…が電線収容空間Ｄ，Ｄ…のそれぞれの開放された部分（のうち、前記奥側）を一斉に閉塞するため、電線収容空間Ｄ，Ｄ…内に収容された電線Ｃ，Ｃ…を該電線収容空間Ｄ，Ｄ…から逸脱しないようにすることができる。すなわち、前記電線支持具１’’は、電線収容空間Ｄ，Ｄ…内に収容された電線Ｃ，Ｃ…の軸線方向での動きを許容しつつ、該電線Ｃ，Ｃ…の軸線方向に直交する方向の動きを規制することができる。
【００６４】
そして、作業者は腕金を取り替えた後に、前記索条Ｌを前記長手方向における一端側から他端側に向けて引っ張る（引き操作する）。そうすると、電線収容空間Ｄ，Ｄ…を閉塞していた閉塞部５，５…が切替手段６とともに動くため、閉塞部５，５…によって閉塞されていた電線収容空間Ｄ，Ｄ…が一斉に開放された状態になる。そして、ブーム及びサブブームを操作することによって、電線支持具１’’を下方に移動させて電線Ｃ，Ｃ…から離隔させる。
【００６５】
以上のように、本実施形態に係る電線支持具１’’によれば、切替手段６をスライド移動させることで閉塞部５，５…が電線収容空間Ｄ，Ｄ…を一斉に閉塞した状態にすることができるため、容易な作業で架設された複数の電線Ｃ，Ｃ…を一回的に支持することができるという優れた効果を奏し得る。
【００６６】
また、本実施形態に係る電線支持具１’’によれば、手前側の操作部６１，６１…の環状部６１１，６１１…がベース２’’よりも手前側に位置するとともに、奥側の操作部６１，６１…の環状部６１１，６１１…がベース２’’よりも奥側に位置しているため、作業者の作業位置に関わらず操作部６１，６１…を容易に操作することができる。
【００６７】
また、本実施形態に係る電線支持具１’’によれば、前記電線支持部３’’は、ベース２’’にスライド移動可能に構成されているため、架設されている電線Ｃ，Ｃ…の位置に合わせて該電線支持部３を位置合わせする作業を容易に行うことができる。
【００６８】
そして、本実施形態に係る電線支持具１’’によれば、ベース２’’の長手方向における両端側から切替手段６を操作することができるように構成されているため、作業者の作業位置に関わらず迅速かつ円滑に電線Ｃ，Ｃ…を電線支持部３’’に支持させることができる。
【００６９】
なお、本発明のケーブル支持具は、上記第一及び第二実施形態に限定されるものではなく、本発明の要旨を逸脱しない範囲において種々変更を加え得ることは勿論のことである。
【００７０】
例えば、第一及び第二実施形態において、前記閉塞部５，５…は、切替手段６を押し操作することによって、電線収容空間Ｄ，Ｄ…のそれぞれの開放された部分を閉塞するように構成されていたが、これに限定されるものではなく、例えば、切替手段６を引き操作することによって、閉塞部５，５…が電線収容空間Ｄ，Ｄ…のそれぞれの開放された部分を閉塞するように構成してもよい。
【００７１】
上記第一及び第二実施形態において、閉塞部５をベース２，２’’の長手方向でスライド移動させることによって、電線収容空間Ｄを閉塞している状態と閉塞していない状態とに切り替えるようにしていたが、これに限定されるものではなく、例えば、ベースや区画部に回転自在に支持された（板状の）閉塞部を前記長手方向における押し操作又は引き操作で揺動操作することによって、電線収容空間Ｄを閉塞している状態と閉塞していない状態とが切り替わるように構成してもよい。
【００７２】
上記第一及び第二実施形態において、架設された複数の電線Ｃ，Ｃ…を支持することを前提として説明を行なったが、これに限定されるものではなく、例えば、架設された一本の電線Ｃを支持する際に用いることもできる。
【００７３】
また、上記第二実施形態において、電線支持具１’’は、三つの電線支持部３’’，３’’…を備えていたが、これに限定されるものではなく、二つの電線支持部３’’，３’’あるいは四つ以上の電線支持部３’’，３’’，…を備えるようにしてもよい。
【００７４】
また、上記第二実施形態において、電線支持部３’’は、二つの電線収容空間Ｄ，Ｄが区画されるように構成されていたが、これに限定されるものではなく、電線収容空間Ｄが一つだけあるいは三つ以上区画されるように構成されていてもよい。
【００７５】
また、上記第二実施形態において、棒状部６１１は、ベース２’’の長手方向と直交する方向で屈曲した態様で形成されていたが、これに限定されるものではなく、棒状部６１１をベース２’’の長手方向に沿って延びるように形成してもよい。
【符号の説明】
【００７６】
１，１’’…電線支持具、２，２’’…ベース、２ａ…絶縁部、２ｂ…取付手段、３，３’’…電線支持部、４…区画部、５…閉塞部、６…切替手段、７…閉塞手段、８…台部、２０…湾曲部、２１ａ，２１ｂ…挿通穴、２２…レール溝、４０…第一区画部、４１，４２…第二区画部、４３…突出部、６０…板状部、６１…操作部、６２…接続部、４００ａ，４００ｂ…第一側壁部、４０１…上壁部、４０２…第二側壁部、４０３ａ，４０３ｂ…進出穴、４１０ａ，４１０ｂ，４１１ｂ，４２１ｂ…第一側壁部、４１２…ブロック、４１３…差込穴、４２０ａ…第一側壁部、４２２…ブロック、４２３…差込穴、６１０…棒状部、６１１…環状部、Ｃ…電線、Ｄ…電線収容空間、Ｌ…索条
【図１】
2012196004.tif 000003
【図２】
2012196004.tif 000004
【図３】
2012196004.tif 000005
【図４】
2012196004.tif 000006
【図５】
2012196004.tif 000007
【図６】
2012196004.tif 000008
【図７】
2012196004.tif 000009